(57)【特許請求の範囲】
【請求項１】
記録用参照光と、複数の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録装置において、
前記空間光変調器から前記対物レンズに向かう前記情報光の光軸が、前記空間光変調器によって回折されるｍ次（ｍ＝０，±１，±２…）の回折光と一致しないように構成されていることを特徴とする光情報記録装置。
【請求項２】
前記情報光の光軸の方向は、（ｍ＋０．２）次乃至（ｍ＋０．８）次の回折光の進行方向の範囲内であることを特徴とする請求項１に記載の光情報記録装置。
次
【請求項３】
前記情報光の光軸の方向は、約（ｍ＋０．５）次の回折光の進行方向であることを特徴とする請求項１に記載の光情報記録装置。
【請求項４】
前記情報光の光軸の方向は、前記空間光変調器に対して垂直であることを特徴とする請求項１乃至３の何れか１項に記載の光情報記録装置。
【請求項５】
記録用参照光と、複数の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録装置において、
前記空間光変調器に入射する情報光となる光の入射角をθ0、前記空間光変調器から出射される前記情報光の出射角をθ1、前記情報光の波長をλ、前記空間光変調器における前記複数の画素の周期をａ、回折光の回折次数をｍ（ｍ＝０，±１，±２…）とすると、ｍλ≠ａ（ｓｉｎθ1−ｓｉｎθ0）の関係式を満たすように構成されていることを特徴とする光情報記録装置。
【請求項６】
（ｍ＋０．２）λ≦ａ（ｓｉｎθ1−ｓｉｎθ0）≦（ｍ＋０．８）の関係式を満たすように構成されていることを特徴とする請求項５に記載の光情報記録装置。
【請求項７】
約（ｍ＋０．５）λ＝ａ（ｓｉｎθ1−ｓｉｎθ0）の関係式を満たすように構成されていることを特徴とする請求項５に記載の光情報記録装置。
【請求項８】
前記空間光変調器から出射される前記情報光の出射角θ1が０°であることを特徴とする請求項５乃至７の何れか１項に記載の光情報記録装置。
【請求項９】
記録用参照光と、複数の反射型の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録装置において、
前記空間光変調器の画素の反射面の角度をΨ、前記情報光の波長をλ、前記空間光変調器における前記複数の画素の周期をａ、回折光の回折次数をｍ（ｍ＝０，±１，±２…）とすると、前記空間光変調器はｍλ≠−ａ・ｓｉｎ２Ψの関係式を満たすことを特徴とする光情報記録装置。
【請求項１０】
前記空間光変調器は、（ｍ＋０．２）λ≦−ａ・ｓｉｎ２Ψ≦（ｍ＋０．８）の関係式を満たすことを特徴とする請求項９に記載の光情報記録装置。
【請求項１１】
前記空間光変調器は、約（ｍ＋０．５）λ＝−ａ・ｓｉｎ２Ψの関係式を満たすことを特徴とする請求項９に記載の光情報記録装置。
【請求項１２】
記録用参照光と、複数の透過型の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録装置において、
前記空間光変調器は屈折手段を有し、
前記屈折手段を経て前記空間光変調器から出射される前記情報光の前記空間光変調器に入射する入射光に対する角度をθr、前記情報光の波長をλ、前記空間光変調器における前記複数の画素の周期をａ、回折光の回折次数をｍ（ｍ＝０，±１，±２…）とすると、前記空間光変調器はｍλ≠−ａ・ｓｉｎθrの関係式を満たすことを特徴とする光情報記録装置。
【請求項１３】
前記空間光変調器は、（ｍ＋０．２）λ≦−ａ・ｓｉｎθr≦（ｍ＋０．８）の関係式を満たすことを特徴とする請求項１２に記載の光情報記録装置。
【請求項１４】
前記空間光変調器は、約（ｍ＋０．５）λ＝−ａ・ｓｉｎθrの関係式を満たすことを特徴とする請求項１２に記載の光情報記録装置。
【請求項１５】
前記空間光変調器は、前記複数の画素が格子状に配置されており、前記回折光の回折次数ｍは、前記複数の画素による格子の対角方向についての回折次数であることを特徴とする請求項１乃至１４の何れか１項に記載の光情報記録装置。
【請求項１６】
記録用参照光と、複数の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録方法において、
前記空間光変調器から前記対物レンズに向かう前記情報光の光軸が、前記空間光変調器によって回折されるｍ次（ｍ＝０，±１，±２…）の回折光と一致しないようにしたことを特徴とする光情報記録方法。
【請求項１７】
前記情報光の光軸の方向は、（ｍ＋０．２）次乃至（ｍ＋０．８）次の回折光の進行方向の範囲内であることを特徴とする請求項１６に記載の光情報記録方法。
次
【請求項１８】
前記情報光の光軸の方向は、約（ｍ＋０．５）次の回折光の進行方向であることを特徴とする請求項１６に記載の光情報記録方法。
【請求項１９】
前記情報光の光軸の方向は、前記空間光変調器に対して垂直であることを特徴とする請求項１６乃至１８の何れか１項に記載の光情報記録方法。
【請求項２０】
前記空間光変調器は、前記複数の画素が格子状に配置されており、前記回折光の回折次数ｍは、前記複数の画素による格子の対角方向についての回折次数であることを特徴とする請求項１６乃至１９の何れか１項に記載の光情報記録方法。
【請求項２１】
情報光と、空間的に変調された記録用参照光とを対物レンズによって記録媒体に対して収束するように照射して前記記録媒体のホログラム記録層における前記情報光と前記記録用参照光との干渉縞が記録された記録媒体に対し、複数の画素を有する空間光変調器によって空間的に変調された再生用参照光を対物レンズによって前記記録媒体に対して収束するように照射して前記干渉縞から情報を再生する光情報再生装置において、
前記空間光変調器から前記対物レンズに向かう前記再生用参照光の光軸が、前記空間光変調器によって回折されるｍ次（ｍ＝０，±１，±２…）の回折光と一致しないように構成されていることを特徴とする光情報再生装置。
【請求項２２】
前記再生用参照光の光軸の方向は、（ｍ＋０．２）次乃至（ｍ＋０．８）次の回折光の進行方向の範囲内であることを特徴とする請求項２１に記載の光情報再生装置。
【請求項２３】
前記再生用参照光の光軸の方向は、約（ｍ＋０．５）次の回折光の進行方向であることを特徴とする請求項２１に記載の光情報再生装置。
【請求項２４】
前記再生用参照光の光軸の方向は、前記空間光変調器に対して垂直であることを特徴とする請求項２１乃至２３の何れか１項に記載の光情報再生装置。
【請求項２５】
前記空間光変調器は、前記複数の画素が格子状に配置されており、前記回折光の回折次数ｍは、前記複数の画素による格子の対角方向についての回折次数であることを特徴とする請求項２１乃至２４の何れか１項に記載の光情報再生装置。
【請求項２６】
情報光と、空間的に変調された記録用参照光とを対物レンズによって記録媒体に対して収束するように照射して前記記録媒体のホログラム記録層における前記情報光と前記記録用参照光との干渉縞が記録された記録媒体に対し、複数の画素を有する空間光変調器によって空間的に変調された再生用参照光を対物レンズによって前記記録媒体に対して収束するように照射して前記干渉縞から情報を再生する光情報再生方法において、
前記空間光変調器から前記対物レンズに向かう前記再生用参照光の光軸が、前記空間光変調器によって回折されるｍ次（ｍ＝０，±１，±２…）の回折光と一致しないようにしたことを特徴とする光情報再生方法。
【請求項２７】
前記再生用参照光の光軸の方向は、（ｍ＋０．２）次乃至（ｍ＋０．８）次の回折光の進行方向の範囲内であることを特徴とする請求項２６に記載の光情報再生方法。
【請求項２８】
前記再生用参照光の光軸の方向は、約（ｍ＋０．５）次の回折光の進行方向であることを特徴とする請求項２６に記載の光情報再生方法。
【請求項２９】
前記再生用参照光の光軸の方向は、前記空間光変調器に対して垂直であることを特徴とする請求項２６乃至２８の何れか１項に記載の光情報再生方法。
【請求項３０】
前記空間光変調器は、前記複数の画素が格子状に配置されており、前記回折光の回折次数ｍは、前記複数の画素による格子の対角方向についての回折次数であることを特徴とする請求項２６乃至２９の何れか１項に記載の光情報再生方法。
1
【発明の詳細な説明】
【技術分野】
【０００１】
本発明は、情報光と参照光との干渉による干渉縞をホログラムとして記録媒体に記録する光情報記録装置、記録方法、再生装置または再生方法に関する。
【背景技術】
【０００２】
ホログラフィを利用して記録媒体に情報を記録するホログラフィック記録は、一般的に、記録用光を構成するイメージ情報を担持した情報光と記録用参照光とを記録媒体の内部で重ね合わせ、その時にできる干渉パターンを記録媒体に書き込むことによって行われる。記録された情報の再生時には、その記録媒体に再生用参照光を照射することにより、干渉パターンによる回折によりイメージ情報が再生される（特許文献１参照）。
【０００３】
近年では、超高密度光記録のために、ボリュームホログラフィ、特にデジタルボリュームホログラフィが実用域で開発され注目を集めている。ボリュームホログラフィとは、記録媒体の厚み方向も積極的に活用して、３次元的に干渉パターンを書き込む方式であり、厚みを増すことで回折効率を高め、多重記録を用いて記録容量の増大を図ることができるという特徴がある。そして、デジタルボリュームホログラフィとは、ボリュームホログラフィと同様の記録媒体と記録方式を用いつつも、記録するイメージ情報は２値化したデジタルパターンに限定した、コンピュータ指向のホログラフィック記録方式である。このデジタルボリュームホログラフィでは、例えばアナログ的な絵のような画像情報も、一旦デジタイズして、２次元デジタルパターン情報に展開し、これをイメージ情報として記録する。再生時は、この２次元デジタルパターン情報を読み出してデコードすることで、元の画像情報に戻して表示する。これにより、再生時にＳＮ比（信号対雑音比）が多少悪くても、微分検出を行ったり、２値化データをコード化しエラー訂正を行ったりすることで、極めて忠実に元の情報を再現することが可能になる。
【０００４】
かかるホログラフィック記録を行う光記録再生装置として、情報光および参照光を対物レンズによって記録媒体の同一面側から、情報光の光軸と参照光の光軸とが同軸となるように記録媒体に照射する装置が提案されている（特許文献１）。
【０００５】
この光記録再生装置においては、格子状に配列された多数の画素を有する空間光変調器（ＳＬＭと略すこともある）に情報光用空間変調パターンおよび参照光用空間変調パターンを表示し、空間光変調器によって光の位相、強度、波長等の状態を各画素毎に変化させることで２次元デジタルパターン情報を担持した情報光および参照光を生成していた。空間光変調器として、液晶表示装置を使用することもあるが、ＤＭＤ（デジタル・マイクロミラー・デバイス）を使用することも考えられる。ＤＭＤは、複数の反射型の画素を有し、画素毎に反射方向を変えて反射することができる。
【０００６】
ＤＭＤを使用した光情報記録再生装置のピックアップの構成を図１２に示す。ピックアップ１０１は、参照光および情報光を光情報記録媒体１５１に照射し、光情報記録媒体１５１からの再生光を受けるためのものである。ピックアップ１０１は、レーザ光源１０３、コリメータレンズ１０５、ミラー１０７、ＤＭＤ１０９、偏光ビームスプリッタ１１１、リレーレンズ１１３、１１５、開口１２７、ミラー１１７、４分の１波長板１１９、対物レンズ１２１、リングマスク１２３、光検出器１２５を備えている。
【０００７】
図１２の光情報記録再生装置によって情報を記録する場合、レーザ光源１０３からレーザ光を射出し、コリメータレンズ１０５によって平行光線とし、ミラー１０７によってＤＭＤ１０９に向かって反射される。ＤＭＤ１０９は、画素として複数の微小なミラーを有しており、画素毎にミラーの傾斜角を変更できる。ＤＭＤ１０９の複数の画素に情報光用空間変調パターンおよび参照光用空間変調パターンを表示すれば、その反射光１３３は、情報光用空間変調パターンおよび参照光用空間変調パターンによって空間的に変調された情報光および参照光となる。
【０００８】
情報光および参照光は、偏光ビームスプリッタ１１１を通過し、一対のリレーレンズ１１３、１１５によって対物レンズ１２１の入射瞳面に結像するように伝搬される。その途中、一対のリレーレンズ１１３、１１５の間の焦点面に配置された開口１２７によって回折光の一部が取り除かれ、ミラー１１７によって対物レンズ１２１に向けて反射され、４分の１波長板１１９を通過する。対物レンズ１２１は、情報光および記録用参照光を光情報記録媒体１５１のホログラム記録層１５３において干渉させ、ホログラフィを形成させる。
【０００９】
また、図１２の光情報記録再生装置によって情報を再生する場合は、ＤＭＤ１０９に再生用の参照光用空間変調パターンのみを表示して、再生用参照光を生成し、再生用参照光を対物レンズ１２１によって光情報記録媒体１５１のホログラム記録層１５３に形成されたホログラムに照射する。ホログラムから再生された再生光と再生用参照光は、光情報記録媒体１５１の反射層１５５によって反射され、逆方向に対物レンズ１２１、４分の１波長板１１９、ミラー１１７、一対のリレーレンズ１１３、１１５を経て伝搬される。ここで、再生光と再生用参照光は、４分の１波長板１１９を２回通過することによって、偏光が９０°変化しているので、偏光ビームスプリッタ１１１によって光検出器１２５に向かって反射され、リングマスク１２３によって再生用参照光が取り除かれ、再生光が光検出器１２５に入射する。
【００１０】
なお、ホログラムを記録するための光情報記録媒体１５１は、基板１５１ａ、１５１ｂ間に、ホログラム記録層１５３および反射層１５５が設けられている。ホログラム記録層１５３は、情報光および参照光に対して感光性を有するモノマーが混入されており、情報光および参照光が干渉して形成された干渉縞によってモノマーの一部が反応してポリマーとなることで、屈折率等の光学特性を変化させ、干渉縞（ホログラム）を記録する。つまり、ホログラムを記録することによって、ホログラム記録層中のモノマーの一部が消費される。また、記録された部分のモノマー濃度が減少すると、周囲からモノマーが拡散移動する。
【００１１】
【特許文献１】特開２００５−３２３０７号公報
【発明の開示】
【発明が解決しようとする課題】
【００１２】
空間光変調器は、周期構造を持った微小な画素の集合体であるため、一種の回折格子を形成する。回折格子は、回折格子の周期をａ、回折光の角度をθd、入射光の角度をθ0、回折次数をｍ（ｍ＝０、±１、±２）、光の波長をλとすると、
式１：ａ（ｓｉｎθd−ｓｉｎθ0）＝ｍλ
の関係を満たす。
【００１３】
図１２の光情報記録再生装置においては、ミラー１０７からの光１３１は、ＤＭＤ１０９に対して入射角θ0を有して入射し、ＤＭＤ１０９から垂直（θ1＝０°）に射出するように配置されている。この関係を図に示すと、図１３のようになる。ＤＭＤ１０９の画素１３５の間隔が回折格子の周期ａとなり、回折光１３２の角度θdは、画素１３５の間隔ａ、入射光１３１の波長λおよび入射角θ0から式１によって決まり、ＤＭＤ１０９の画素１３５の傾斜角Ψには依存しない。他方、反射光１３３（図１３においては−３次の回折光と重なっている）の出射角θ1は、入射光１３１の入射角θ0およびＤＭＤ１０９の画素１３５の傾斜角度Ψから
式２：θ1＝θ0−２Ψ
によって決まる。図１３においては、反射光１３３の出射角θ1は０°であるから出射角θ1を示していない。
【００１４】
そして、従来では、ＤＭＤ１０９によって反射されて生成される情報光、記録用参照光および再生用参照光の光軸（θ1）は、回折光１３２の内の一部の進行方向（θd）と一致するように定められていた（特許文献１の段落００２９）。つまり、ａ（ｓｉｎθ1−ｓｉｎθ0）＝ｍλを満たし、入射角θ0が−ａ・ｓｉｎθ0＝ｍλとなるように構成されていたのである。
【００１５】
なお、ＳＬＭとして透過型の液晶表示装置等を使用した場合は、ＳＬＭに対して光を垂直（θ0＝０°）に入射させて、垂直（θ1＝０°）に出射した光を利用していたため、入射角＝出射角であり、０次の回折光と光軸が一致していた。
【００１６】
本発明においては、従来よりもホログラムサイズを小さくして記録密度を高めることが可能な光情報記録装置、記録方法、再生装置または再生方法を提供することを課題とする。また、本発明においては、従来よりも記録再生の信頼性を高めることが可能な光情報記録装置、記録方法、再生装置または再生方法を提供することを課題とする。
【課題を解決するための手段】
【００１７】
以上のような課題を解決するため、本発明の光情報記録装置は、記録用参照光と、複数の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録装置において、前記空間光変調器から前記対物レンズに向かう前記情報光の光軸が、前記空間光変調器によって回折されるｍ次（ｍ＝０，±１，±２…）の回折光と一致しないように構成されていることを特徴とする。
【００１８】
更に、上記光情報記録装置において、前記情報光の光軸の方向は、（ｍ＋０．２）次乃至（ｍ＋０．８）次の回折光の進行方向の範囲内であることが好ましく、約（ｍ＋０．５）次の回折光の進行方向であることがより好ましい。加えて、上記光情報記録装置において、前記情報光の光軸の方向は、前記空間光変調器に対して垂直であることが好ましい。
【００１９】
また、本発明の他の光情報記録装置は、記録用参照光と、複数の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録装置において、前記空間光変調器に入射する情報光となる光の入射角をθ0、前記空間光変調器から出射される前記情報光の出射角をθ1、前記情報光の波長をλ、前記空間光変調器における前記複数の画素の周期をａ、回折光の回折次数をｍ（ｍ＝０，±１，±２…）とすると、ｍλ≠ａ（ｓｉｎθ1−ｓｉｎθ0）の関係式を満たすように構成されていることを特徴とする。
【００２０】
更に、上記光情報記録装置において、（ｍ＋０．２）λ≦ａ（ｓｉｎθ1−ｓｉｎθ0）≦（ｍ＋０．８）の関係式を満たすように構成されていることが好ましく、特に約（ｍ＋０．５）λ＝ａ（ｓｉｎθ1−ｓｉｎθ0）の関係式を満たすように構成されていることが好ましい。加えて、上記光情報記録装置において、前記空間光変調器から出射される前記情報光の出射角θ1が０°であることが好ましい。
【００２１】
また、本発明の他の光情報記録装置は、記録用参照光と、複数の反射型の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録装置において、前記空間光変調器の画素の反射面の角度をΨ、前記情報光の波長をλ、前記空間光変調器における前記複数の画素の周期をａ、回折光の回折次数をｍ（ｍ＝０，±１，±２…）とすると、前記空間光変調器はｍλ≠−ａ・ｓｉｎ２Ψの関係式を満たすことを特徴とする。
【００２２】
更に、上記光情報記録装置において、前記空間光変調器は、（ｍ＋０．２）λ≦−ａ・ｓｉｎ２Ψ≦（ｍ＋０．８）の関係式を満たすことが好ましく、特に約（ｍ＋０．５）λ＝−ａ・ｓｉｎ２Ψの関係式を満たすことが好ましい。
【００２３】
また、本発明の他の光情報記録装置は、記録用参照光と、複数の透過型の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録装置において、前記空間光変調器は屈折手段を有し、前記屈折手段を経て前記空間光変調器から出射される前記情報光の前記空間光変調器に入射する入射光に対する角度をθr、前記情報光の波長をλ、前記空間光変調器における前記複数の画素の周期をａ、回折光の回折次数をｍ（ｍ＝０，±１，±２…）とすると、前記空間光変調器はｍλ≠−ａ・ｓｉｎθrの関係式を満たすことを特徴とする。
【００２４】
更に、上記光情報記録装置において、前記空間光変調器は、（ｍ＋０．２）λ≦−ａ・ｓｉｎθr≦（ｍ＋０．８）の関係式を満たすことが好ましく、特に約（ｍ＋０．５）λ＝−ａ・ｓｉｎθrの関係式を満たすことが好ましい。
【００２５】
加えて、上記光情報記録装置において、前記空間光変調器は、前記複数の画素が格子状に配置されており、前記回折光の回折次数ｍは、前記複数の画素による格子の対角方向についての回折次数であることが好ましい。
【００２６】
また、本発明の光情報記録方法は、記録用参照光と、複数の画素を有する空間光変調器によって空間的に変調された情報光とを対物レンズによって記録媒体に対して収束するように照射して前記記録媒体のホログラム記録層における前記記録用参照光と前記情報光との干渉縞を記録する光情報記録方法において、前記空間光変調器から前記対物レンズに向かう前記情報光の光軸が、前記空間光変調器によって回折されるｍ次（ｍ＝０，±１，±２…）の回折光と一致しないようにしたことを特徴とする。
【００２７】
更に、上記光情報記録方法において、前記情報光の光軸の方向は、（ｍ＋０．２）次乃至（ｍ＋０．８）次の回折光の進行方向の範囲内であることが好ましく、特に約（ｍ＋０．５）次の回折光の進行方向であることが好ましい。加えて、前記情報光の光軸の方向は、前記空間光変調器に対して垂直であることが好ましい。
【００２８】
更に、上記光情報記録方法において、前記空間光変調器は、前記複数の画素が格子状に配置されており、前記回折光の回折次数ｍは、前記複数の画素による格子の対角方向についての回折次数であることが好ましい。
【００２９】
また、本発明の光情報再生装置は、情報光と、空間的に変調された記録用参照光とを対物レンズによって記録媒体に対して収束するように照射して前記記録媒体のホログラム記録層における前記情報光と前記記録用参照光との干渉縞が記録された記録媒体に対し、複数の画素を有する空間光変調器によって空間的に変調された再生用参照光を対物レンズによって前記記録媒体に対して収束するように照射して前記干渉縞から情報を再生する光情報再生装置において、前記空間光変調器から前記対物レンズに向かう前記再生用参照光の光軸が、前記空間光変調器によって回折されるｍ次（ｍ＝０，±１，±２…）の回折光と一致しないように構成されていることを特徴とする。
【００３０】
更に、上記光情報再生装置において、前記再生用参照光の光軸の方向は、（ｍ＋０．２）次乃至（ｍ＋０．８）次の回折光の進行方向の範囲内であることが好ましく、約（ｍ＋０．５）次の回折光の進行方向であることがより好ましい。加えて、前記再生用参照光の光軸の方向は、前記空間光変調器に対して垂直であることが好ましい。
【００３１】
更に、上記光情報再生装置において、前記空間光変調器は、前記複数の画素が格子状に配置されており、前記回折光の回折次数ｍは、前記複数の画素による格子の対角方向についての回折次数であることが好ましい。
【００３２】
また、本発明の光情報再生方法は、情報光と、空間的に変調された記録用参照光とを対物レンズによって記録媒体に対して収束するように照射して前記記録媒体のホログラム記録層における前記情報光と前記記録用参照光との干渉縞が記録された記録媒体に対し、複数の画素を有する空間光変調器によって空間的に変調された再生用参照光を対物レンズによって前記記録媒体に対して収束するように照射して前記干渉縞から情報を再生する光情報再生方法において、前記空間光変調器から前記対物レンズに向かう前記再生用参照光の光軸が、前記空間光変調器によって回折されるｍ次（ｍ＝０，±１，±２…）の回折光と一致しないようにしたことを特徴とする。
【００３３】
更に、上記光情報再生方法において、前記再生用参照光の光軸の方向は、（ｍ＋０．２）次乃至（ｍ＋０．８）次の回折光の進行方向の範囲内であることが好ましく、約（ｍ＋０．５）次の回折光の進行方向であることが好ましい。加えて、前記再生用参照光の光軸の方向は、前記空間光変調器に対して垂直であることが好ましい。
【００３４】
更に、上記光情報再生方法において、前記空間光変調器は、前記複数の画素が格子状に配置されており、前記回折光の回折次数ｍは、前記複数の画素による格子の対角方向についての回折次数であることが好ましい。
【発明の効果】
【００３５】
本発明の光情報記録装置、記録方法、再生装置および再生方法では、対物レンズへ向かう出射光の光軸をｍ次の回折光とずらすことによって、最も強度の強い領域に複数の輝点を配置させることができ、干渉縞の強度を強くすることができる。
【００３６】
また、画素の反射面の傾斜角度の誤差等によって、空間光変調器からの出射角θ1にバラツキが生じて、形状成分パターンのフーリエ面における位置がずれたとしても、複数の輝点が存在するため、ホログラムの記録領域内において強い強度を保つことができ、信頼性が向上する。
【００３７】
更に、従来では、中心に非常に強い光強度の領域が局在化するため、光情報記録媒体のホログラム記録層中におけるモノマー濃度が部分的に枯渇してしまい多重記録の妨げとなることもあったが、本発明では、光強度の強い領域に複数の輝点を配置させているので、ホログラムの記録領域内における光強度分布を従来に比較すれば平均化することができる。この結果、モノマー濃度も平均的に減少し、多重記録特性を向上できるので、記録容量を増やすことができる。
【００３８】
また、本発明においては、光軸の近傍に位置する４つの輝点によって全ての空間周波数特性が示されるため、それら４つの輝点を含む大きさまでホログラムの記録領域を小さくすることができる。よって、一つ当たりのホログラムサイズを小さくできるので、その分、多くのホログラムを記録することができ、記録容量を増やすことができる。
【発明を実施するための最良の形態】
【００３９】
まず、図１を用いて、本発明の空間光変調器１１における入射光２１、出射光２２および回折光２３の関係を説明する。まず、本発明の光情報記録再生装置は、記録時には、空間光変調器１１に情報光用空間変調パターンおよび記録用参照光用空間変調パターンを表示して、光を空間的に変調して情報光および記録用参照光を生成する。なお、記録用参照光は空間的に変調しなくてもよく、その場合は、空間光変調器１１に情報光用空間変調パターンのみを表示すればよい。そして、情報光と記録用参照光は、対物レンズ１３によって記録媒体（図示せず）に対して収束するように照射され、記録媒体のホログラム記録層において干渉することで、情報光と記録用参照光の干渉縞がホログラム記録層に記録される。次に、空間的に変調した記録用参照光を利用して記録した干渉縞を再生する時には、空間光変調器１１に再生用参照光用空間変調パターンを表示して、光を空間的に変調して再生用参照光を生成する。再生用参照光は、対物レンズ１３によって記録媒体に対して収束するように照射され、記録媒体のホログラム記録層に記録された干渉縞と干渉して再生光を発生させる。発生した再生光は、対物レンズ１３を含む光学系によって伝搬され、光検出器によってその空間変調パターンが検出される。
【００４０】
本発明においては、空間光変調器１１から対物レンズ１３に向かう出射光２２（情報光、記録用参照光または再生用参照光）の光軸が、空間光変調器１１によって回折されるｍ次（ｍ＝０，±１，±２…）の回折光２３と一致しないように構成されている。これは、出射光２２がｍ次と（ｍ＋１）次の回折光２３の間に位置することを意味する。図１においては、−１次の回折光と０次の回折光の間に出射光２２が位置している。また、空間光変調器１１に入射する光２１の入射角をθ0、空間光変調器１１から出射される光２２の出射角をθ1、光の波長をλ、空間光変調器１１における複数の画素１２の周期をａ、回折光２３の回折次数をｍ（ｍ＝０，±１，±２…）とすると、
式３：ｍλ≠ａ（ｓｉｎθ1−ｓｉｎθ0）
の関係式を満たすように装置を構成する。なお、図１においては、反射型の空間光変調器で例示したが、透過型の空間光変調器であっても同じである。
【００４１】
ここで、出射光２２の光軸の方向は、（ｍ＋０．２）次乃至（ｍ＋０．８）次の回折光２３の進行方向の範囲内であることが好ましく、特に約（ｍ＋０．５）次の回折光２３の進行方向であることが好ましい。つまり、（ｍ＋０．２）λ≦ａ（ｓｉｎθ1−ｓｉｎθ0）≦（ｍ＋０．８）の関係式を満たすことが好ましく、特に約（ｍ＋０．５）λ＝ａ（ｓｉｎθ1−ｓｉｎθ0）の関係式を満たすことがより好ましい。
【００４２】
また、図１においては、出射光２２の角度θ1を分かりやすくするため、斜めに射出させているが、対物レンズ１３によって２次元パターン情報をフーリエ変換する際に、２次元パターン情報を表示する空間光変調器１１の表示面が対物レンズ１３の入射瞳面（光軸に対して垂直）と平行となることが好ましいので、出射角θ1は０°であること、つまり出射光２２の光軸が空間光変調器１１に対して垂直となるように構成することが好ましい。この場合、ｓｉｎθ1＝０となるので、式３は、ｍλ≠−ａ・ｓｉｎθ0となり、入射角θ0としては、（ｍ＋０．２）λ≦−ａ・ｓｉｎθ0≦（ｍ＋０．８）の関係式を満たすことが好ましく、特に約（ｍ＋０．５）λ＝−ａ・ｓｉｎθ0の関係式を満たすことがより好ましい。
【００４３】
更に、反射型の画素を有するＤＭＤの場合、画素の反射面の角度をΨとすると、出射角θ1＝θ0−２Ψとなるので、空間光変調器１１の画素１２の周期ａおよび傾斜角Ψがｍλ≠−ａ・ｓｉｎ２Ψの関係式を満たすと、出射光２２の光軸が、空間光変調器１１に対して垂直となり、且つ回折光と一致しない構成となる。空間光変調器１１の画素の周期ａおよび傾斜角Ψは、（ｍ＋０．２）λ≦−ａ・ｓｉｎ２Ψ≦（ｍ＋０．８）の関係式を満たすことが好ましく、特に約（ｍ＋０．５）λ＝−ａ・ｓｉｎ２Ψの関係式を満たすことがより好ましい。
【００４４】
図２は、出射光の角度θ1がｍ次の回折光と一致する従来の光情報記録再生装置におけるフーリエ変換像を示し、図３は、出射光の角度θ1がｍ次の回折光と一致しない本発明の光情報記録再生装置におけるフーリエ変換像を示す。
【００４５】
図２の左上に示すように、格子状に配列した複数の画素１３５を有する空間光変調器１０９の全ての画素１３５をオン状態とした場合、対物レンズによってフーリエ変換されると、同図右上に示すようなパターン１３７に変換される。
【００４６】
空間光変調器１０９によって空間的に変調される光のフーリエ変換を解析するにあたって、空間光変調器１０９の成分は、画素１３５の配置に起因する配置成分１３５ａと画素１３５の形状に起因する形状成分１３５ｂとに分解することができる。なお、図２および図３において配置成分と形状成分の間の「＊」はコンボリューションの演算記号である。このうち、配置成分１３５ａは、フーリエ変換すると、配置成分１３５ａと相似形に配置された輝点１３８からなる配置成分パターン１３７ａが得られる。各輝点１３８は、それぞれの方向におけるｍ次の回折光であり、各輝点１３８の位置は、前述した式１：ａ（ｓｉｎθd−ｓｉｎθ0）＝ｍλにおける回折角θdによって求められる。図２においては、対物レンズへ向かう出射光の光軸がｍ次の回折光と一致するので、光軸上（中心）に輝点１３８が位置する。
【００４７】
また、形状成分１３５ｂは、フーリエ変換すると、画素の形状に起因した強度分布を有する形状成分パターン１３７ｂとなる。図２では、正方形状の画素１３５に対する形状成分パターン１３７ｂが示されている。形状成分パターン１３７ｂの強度分布は、中心部分に最も強度の強い領域が位置し、そこから画素１３５の正方形の各辺に対面する方向（図２の上下左右）に周期的に配置された領域では中心部分から遠ざかるにつれて徐々に強度が弱くなる。また、画素１３５の対角方向（図２の斜め方向）については、中心部分の近傍のみに領域が存在し、その領域の光強度も中心部分から遠ざかるにつれて徐々に弱くなる。形状成分パターン１３７ｂの位置は、前述した式２：θ1＝θ0−２Ψにおける出射角θ1によって求められる。
【００４８】
パターン１３７は、配置成分パターン１３７ａと形状成分パターン１３７ｂとを重ね合わせて強度を掛け合わせたパターンである。この点をまずは１次元のフーリエ変換波形で説明すると、図４に示すように、形状成分に対応する矩形波をフーリエ変換した形状成分パターン４１に対し、配置成分に対応する周期的なピークを有する配置成分パターン４２を重ね合わせて強度を掛け合わせると合成パターン４４が得られる。つまり、配置成分パターン４２のピーク位置における形状成分パターン４１の強度が合成パターン４４となる。合成パターン４４において、点線で形状成分パターン４１を示している。合成パターン４４は、形状成分パターン４１の中心と配置成分パターン４２の中心とが一致している点で、従来の光情報記録再生装置におけるフーリエ変換パターン１３７に相当する。
【００４９】
図２においては、出射光の角度θ1がｍ次の回折光の角度θdと一致するので、配置成分パターン１３７ａの中心と、形状成分パターン１３７ｂの中心とが一致する。フーリエ変換パターン１３７は、中心に位置するｍ次の回折光において最も光強度が強く、そこから上下左右の（ｍ±１、２…）次の各輝点１３８については、中心から遠ざかる（ｍとの差が大きくなる）につれて強度が弱まる。また、対角方向（図２の斜め方向）については、中心部分の近傍しか形状成分パターン１３７ｂが存在しないため、フーリエ変換パターン１３７の（ｍ±１、２…）次の各輝点も中心部分の近傍のみにしか存在せず、それらの輝点も中心から遠ざかる（ｍとの差が大きくなる）につれて強度が弱まる。
【００５０】
次に、図３の左上に示すように、本発明の記録再生装置において、格子状に配列した複数の画素１２を有する空間光変調器１１の全ての画素１２をオン状態とした場合、対物レンズによってフーリエ変換されると、同図右上に示すようなパターン３１に変換される。なお、図３では、空間光変調器１１が光軸を中心として４５°回転されているが、これはＤＭＤの各画素１２が図２における縦方向の対角線を回転軸１４として回動する構成となっており、回転軸を装置において垂直に配置したためである。空間光変調器１１を回転させると、そのフーリエ変換されたパターン３１も回転するが、パターン３１の形状それ自体に変化はない。
【００５１】
図３の空間光変調器１１も、図２の時と同様に、画素１２の配置に起因する配置成分１２ａと画素１２の形状に起因する形状成分１２ｂとに分解することができる。配置成分１２ａは、フーリエ変換すると、配置成分１２ａと相似形に配置された輝点３３の配置成分パターン３１ａが得られ、形状成分１２ｂは、フーリエ変換すると、画素の形状に起因した強度分布を有する形状成分パターン３１ｂとなる。なお、図３の配置成分パターン３１ａおよび形状成分パターン３１ｂは、図２の配置成分パターン１３７ａおよび形状成分パターン１３７ｂを４５°回転させたものと同じである。
【００５２】
本発明の光情報記録再生装置においては、対物レンズへ向かう出射光の光軸がｍ次の回折光と一致しないため、配置成分パターン３１ａの輝点３３は光軸からずれる。これは、図４の形状成分パターン４１に対し、中心にピークが位置しない配置成分パターン４３を重ね合わせて掛け合わせたときの合成パターン４５の関係に相当する。合成パターン４５において、点線で形状成分パターン４１を示しており、中心に近い２つのピークが共に強い強度を示していることが分かる。
【００５３】
図３においては、画素１２の対角方向（図３においては横方向１５、図２においては斜め方向）におけるｍ＋０．５次の回折光の位置が光軸と一致するようにしており、光軸は４つの輝点３３の中心となる。ここで、対角方向についての回折次数を求める式３：ｍλ≠ａ（ｓｉｎθ1−ｓｉｎθ0）における周期ａは、図３に示すように、最も細かい周期である回転軸１４間の間隔（画素の対角線の半分）となる。つまり、画素の１辺の長さをＬとすると２1/2・Ｌ／２となる。
【００５４】
他方、形状成分パターン３１ｂの位置は、前述した式２：θ1＝θ0−２Ψにおける出射角θ1によって求められるので、形状成分パターン３１ｂの中心は、出射角θ1の出射光の光軸と一致する。
【００５５】
このため、配置成分パターン３１ａと形状成分パターン３１ｂとを重ね合わせて掛け合わせたパターン３１は、光軸近傍にある４つの輝点３３において強度が強く、それらから遠ざかるにつれて各輝点の強度が弱くなる。このように、本発明の光情報記録再生装置では、対物レンズへ向かう出射光の光軸をｍ次の回折光とずらすことによって、最も強度の強い領域に複数の輝点を配置させることができ、干渉縞の強度を強くすることができる。
【００５６】
また、画素の反射面の傾斜角度の誤差等によって、出射角θ1にバラツキが生じて、形状成分パターン３１ｂのフーリエ面における位置がずれたとしても、複数の輝点３３が存在するため、ホログラムの記録領域内において強い強度を保つことができ、信頼性が向上する。
【００５７】
更に、従来では、中心に非常に強い光強度の領域が局在化するため、光情報記録媒体のホログラム記録層中におけるモノマー濃度が部分的に枯渇してしまい多重記録の妨げとなることもあったが、本発明では、光強度の強い領域に複数の輝点を配置させているので、ホログラムの記録領域内における光強度分布を従来に比較すれば平均化することができる。この結果、モノマー濃度も平均的に減少し、多重記録特性を向上できるので、記録容量を増やすことができる。
【００５８】
別の利点として、ホログラムサイズを小さくすることも可能となる。図２のパターン１３７において、ホログラムの記録領域１３９を白丸で示す。図２においては、全ての空間周波数特性を得るためにはホログラムの記録領域１３９中に、少なくとも中心の輝点１３８とその四方に位置する輝点１３８を含める必要があった。これに対し、図３のパターン３１に示すように、本発明においては、光軸の近傍に位置する４つの輝点３３によって全ての空間周波数特性が示されるため、それら４つの輝点３３を含む大きさまでホログラムの記録領域３４（白丸で示す）を小さくすることができる。よって、一つ当たりのホログラムサイズを小さくできるので、その分、多くのホログラムを記録することができ、記録容量を増やすことができる。
【００５９】
具体的に、ＤＭＤにおいて、ＤＭＤから対物レンズに対して垂直に出射させ（θ1＝０）、出射光の光軸が（ｍ＋０．５）次の回折光の進行方向とする場合、（ｍ＋０．５）λ＝−ａ・ｓｉｎ２Ψの関係式を満たすことになる。例えば、テキサス・インスツルメンツ社製０．７インチＸＧＡ（１０２４×７６８画素）型ＤＭＤの場合、正方形状の画素のピッチが１３．６８μｍであるから、対角方向における（ｍ＋０．５）次の回折光の進行方向を選択した場合、画素の周期ａは、２1/2・１３．６８μｍ／２＝９．６５μｍとなる。図５は、このＤＭＤにおいて、波長５３２ｎｍの光と波長４１０ｎｍの光を使用したとき、対角方向における（ｍ＋０．５）次の回折光の進行方向となる画素の傾斜角および入射角である。このＤＭＤの傾斜角は１１〜１３°の設計であるから、その角度の範囲内としては、波長５３２ｎｍの光を使用する場合は、−７．５次光の進行方向となるように画素の傾斜角を１２．１８°としＤＭＤへの入射角を２４．３６°とし、波長４１０ｎｍの光を使用する場合は、−９．５次光の進行方向となるように画素の傾斜角を１１．８７°としＤＭＤへの入射角を２３．７４°とする。
【００６０】
図６乃至図９は、波長５３２ｎｍの光を使用し、画素の傾斜角が１１．４°、１２．０°、１２．２°、１２．４°のＤＭＤに対し、２４．４°の入射角で光を入射させた場合のフーリエ変換像を示す。なお、それぞれ上段が全ての画素をオン状態とした場合であり、下段がオン状態とオフ状態（図では塗りつぶしている）の画素をランダムに配置した場合である。
【００６１】
図６は、ＤＭＤ６１の画素６２の傾斜角が１１．４°であるから、出射角は２４．４°−２×１１．４°＝１．６°である。出射角１．６°の回折次数は、９．６５μｍ×（ｓｉｎ（１．６°）−ｓｉｎ（２４．４°））／５３２ｎｍ＝−７．００次光である。従って、図６では、従来の光情報記録再生装置と同様、出射光の光軸が回折光と一致する。図６において、上段のフーリエ変換パターン６３は、中心より左側の輝点に光軸が位置しており、その位置で光強度が強くなっている。しかし、肝心のホログラム記録領域（白丸）６４では、光強度が弱く干渉縞の強度が弱くなる。また、オンの画素６２ａとオフの画素６２ｂをランダムに配置した下段のフーリエ変換パターン６５では、各輝点がぼやけており、光強度の分布が広がっている。しかし、やはりホログラム記録領域（白丸）６４の一部において光強度が弱くなっており、信頼性のある情報の記録再生が難しい。
【００６２】
図７は、ＤＭＤ７１の画素７２の傾斜角が１２．０°であるから、出射角は２４．４°−２×１２．０°＝０．４°である。出射角０．４°の回折次数は、９．６５μｍ×（ｓｉｎ（０．４°）−ｓｉｎ（２４．４°））／５３２ｎｍ＝−７．３７次光である。従って、図７では、出射光の光軸が回折光と一致していない。図７において、上段のフーリエ変換パターン７３は、中心近傍の４つの輝点のうち、左側の輝点の光強度が若干強いが、他の３つの輝点も十分光強度が強く、ホログラム記録領域（白丸）７４全体で干渉縞を記録することが可能である。オンの画素７２ａとオフの画素７２ｂをランダムに配置した下段のフーリエ変換パターン７５においても、中心より若干左側に偏っているが、ホログラム記録領域（白丸）７４の全体に光強度の分布が広がっているので、干渉縞を記録することができ、信頼性のある情報の記録再生をすることが可能である。
【００６３】
図８は、ＤＭＤ８１の画素８２の傾斜角が１２．２°であるから、出射角は２４．４°−２×１２．２°＝０°である。出射角０°の回折次数は、９．６５μｍ×（ｓｉｎ（０°）−ｓｉｎ（２４．４°））／５３２ｎｍ＝−７．４９次光である。従って、図８では、出射光の光軸が回折光と一致していない。図８において、上段のフーリエ変換パターン８３は、中心近傍の４つの輝点が均等に光強度が強くなっており、ホログラム記録領域（白丸）８４全体で均一な干渉縞を記録することが可能である。オンの画素８２ａとオフの画素８２ｂをランダムに配置した下段のフーリエ変換パターン８５においても、ホログラム記録領域（白丸）８４の全体に光強度の分布が広がっているので、均等に干渉縞を記録することができ、信頼性のある情報の記録再生をすることが可能である。
【００６４】
図９は、ＤＭＤ９１の画素９２の傾斜角が１２．４°であるから、出射角は２４．４°−２×１２．４°＝−０．４°である。出射角−０．４°の回折次数は、９．６５μｍ×（ｓｉｎ（−０．４°）−ｓｉｎ（２４．４°））／５３２ｎｍ＝−７．６２次光である。従って、図９では、出射光の光軸が回折光と一致していない。図９において、上段のフーリエ変換パターン９３は、中心近傍の４つの輝点のうち、右側の輝点の光強度が若干強いが、他の３つの輝点も十分光強度が強く、ホログラム記録領域（白丸）９４全体で干渉縞を記録することが可能である。オンの画素９２ａとオフの画素９２ｂをランダムに配置した下段のフーリエ変換パターン９５においても、中心より若干左側に偏っているが、ホログラム記録領域（白丸）９４の全体に光強度の分布が広がっているので、干渉縞を記録することができ、信頼性のある情報の記録再生をすることが可能である。
【００６５】
なお、上記傾斜角の範囲は一製品における設計値であり、限定されるものではない。例えば、傾斜角を１０．５°とすれば、波長５３２ｎｍの光を使用する場合は、６．５次光の進行方向とすることができ、波長４１０ｎｍの光を使用する場合は、８．５次光の進行方向とすることができるので、汎用性の高いＤＭＤを製造することができる。また、画素の間隔が変更されれば、角度も見直す必要がある。
【００６６】
また、上ではＤＭＤのように、反射型の画素を有する空間光変調器を主に説明したが、透過型の空間光変調器にも適用できる。図１０は、透過型の空間光変調器１１における入射光２１、出射光２２および回折光２３の関係を示すものである。
【００６７】
まず、透過型の空間光変調器１１においても、入射する光２１の入射角をθ0、空間光変調器１１から出射される光２２の出射角をθ1、光の波長をλ、空間光変調器１１における複数の画素１２の周期をａ、回折光２３の回折次数をｍ（ｍ＝０，±１，±２…）とすると、式３：ｍλ≠ａ（ｓｉｎθ1−ｓｉｎθ0）の関係式を満たすように装置を構成する。ただし、図１０においては、射出角θ1は０°のため図示していない。このため、透過型の空間光変調器１１は、屈折手段１６を有している。図１０において、入射光２１は、空間光変調器１１に対し、入射角θ0で入射する。空間光変調器１１の複数の画素１２によって変調された出射光２２は、屈折手段１６を経て出射角θ1で射出される。透過型の空間光変調器１１においては、屈折手段１６によって入射光２１が屈折されるので、出射光２２の入射光２１に対する角度をθrとすると、θ1＝θ0−θrとなる。他方、空間光変調器１１の複数の画素１２が回折格子として機能するので、式１：ａ（ｓｉｎθd−ｓｉｎθ0）＝ｍλ（ｍ＝０，±１，±２…）にしたがって回折角θdの回折光２３が発生する。
【００６８】
図１０に示すように、出射光２２の角度θ1は０°であること、つまり出射光２２の光軸が空間光変調器１１に対して垂直となるように構成することが好ましい。この場合、ｓｉｎθ1＝０となるので、式３は、ｍλ≠−ａ・ｓｉｎθ0となり、入射角θ0としては、（ｍ＋０．２）λ≦−ａ・ｓｉｎθ0≦（ｍ＋０．８）の関係式を満たすことが好ましく、特に約（ｍ＋０．５）λ＝−ａ・ｓｉｎθ0の関係式を満たすことがより好ましい。ここで、θ1＝θ0−θrであるから、θ1＝０の場合、θ0＝θrであり、上記式３は、ｍλ≠−ａ・ｓｉｎθrとなり、出射光２２の入射光２１に対する角度θrとしては、（ｍ＋０．２）λ≦−ａ・ｓｉｎθ0≦（ｍ＋０．８）の関係式を満たすことが好ましい。別の見方をすれば、出射光２２の入射光２１に対する角度θrが、ｍλ≠−ａ・ｓｉｎθrの関係式を満たすと、出射光２２の光軸が、空間光変調器１１に対して垂直となり、且つ回折光と一致しない構成となる。
【００６９】
屈折手段１６としては、エッジ、位相板を使用することが可能である。エッジとは、部分的に厚さの異なる部分を有する周囲の材質の屈折率と異なる透明部材であり、厚さの異なる部分によって、位相差を生じさせるものである。位相板とは、透明部材に部分的に屈折率の異なる部分を設けたものであり、屈折率変更部分の厚さによって、位相差を生じさせるものである。なお、図１０においては、空間光変調器１１の出射面側に屈折手段１６を配置したが、入射面側に屈折手段１６を配置してもよいし、空間光変調器１１内部の一機能として屈折手段１６を実現してもよい。
【００７０】
反射型の空間光変調器を使用した本発明の光情報記録再生装置のピックアップ２０１の構成を図１１に示す。本発明のピックアップ２０１は、本発明の光情報記録再生装置のピックアップ２０１は、記録再生用光源２０３、コリメータレンズ２０５、ミラー２０７、空間光変調器２０９、偏光ビームスプリッタ２１１、リレーレンズ２１３、２１５、開口２２７、ミラー２１７、４分の１波長板２１９、対物レンズ２２１、リングマスク２２３、光検出手段２２５を備えている。
【００７１】
図１１のピックアップ２０１において、情報を記録または再生する場合、記録再生用光源２０３から射出された光は、コリメータレンズ２０５によって平行光線とされ、ミラー２０７によって空間光変調器２０９に向かって反射される。本発明では、空間光変調器２０９の出射光２３２が空間光変調器２０９による回折光２３３（点線で示す）と一致しないように、記録再生用光源２０３から射出される光の波長、ミラー２０７による空間光変調器に対する入射光２３１の入射角および空間光変調器の画素の周期が構成される。なお、図１１のように反射型の画素を有する空間光変調器を使用する場合は、画素の反射面の傾斜角も、空間光変調器の出射光２３２がその回折光２３３と一致しないように構成される。以下、光情報記録再生装置の各構成を順に説明する。
【００７２】
記録再生用光源２０３は、情報を記録するための情報光および記録用参照光を形成するための光および情報を再生するための再生用参照光を形成するための光を射出する。光源２０３としては、コヒーレントな直線偏光の光線束を発生する例えば半導体レーザを用いることができる。この記録再生用光源２０３としては、高密度記録を行うために波長が短い方が有利であり、青色レーザ（例えば波長５３２ｎｍ）やグリーンレーザ（例えば波長４１０ｎｍ）を採用することが好ましい。また、光源２０３として、固体レーザーを使用することもできる。
【００７３】
コリメータレンズ２０５は記録再生用光源６１からの発散光線束をほぼ平行光線とするものである。
【００７４】
ミラー２０７は、記録再生用光源２０３からの光を反射して空間光変調器２０９へ向けるものである。ミラー２０７によって、空間光変調器２０９に入射する光２３１の入射角を調整することができる。例えば、波長の異なる光に対し、ミラーの位置または角度を変更して、空間光変調器の出射光２３２がその回折光２３３と一致しないように調整可能に設けてもよい。
【００７５】
空間光変調器２０９は、複数の画素を有し、各画素毎に出射光の位相または／および強度を変調することができる透過型または反射型の空間光変調器を使用することができる。空間光変調器２０９としては、ＤＭＤ（デジタル・マイクロミラー・デバイス）やマトリクス型の液晶素子を使用することができる。ＤＭＤは、入射した光を画素ごとに反射方向を変えることで強度を空間的に変調したり、入射した光を画素ごとに反射位置を変えることで位相を空間的に変調することができる。液晶素子は、画素ごとに液晶の配向状態を制御することで、入射した光の強度や位相を空間的に変調することができる。例えば、各画素毎に出射光の位相を、互いにπラジアンだけ異なる２つの値のいずれかに設定することによって、光の位相を空間的に変調することができる。図１１において空間光変調器２０９は、反射型であり、入射光を反射して空間光変調器に対して垂直に射出させるように配置されている。
【００７６】
そして、空間光変調器２０９の表示面に情報光用空間変調パターンを表示して、表示された情報光用空間変調パターンによって光を空間的に変調すれば、情報光を生成することができる。情報光用空間変調パターンは、記録する情報を符号化して得られる２次元パターン情報を含むものであり、多段階に属性を変化させた画素を２次元的に配置して表現される。情報光用空間変調パターンの各画素毎に、例えば、光の位相や強度等の状態を多段階に変化させる。以下の説明においては、各画素毎に光の強度をオン（白色の画素）とオフ（黒色または網掛けの画素）の２段階に変化させる方法で説明するが、この方法に限定されるものではない。例えば、光の位相を変化させてもよいし、２段階ではなく３段階以上に変化させてもよい。
【００７７】
記録用参照光は、空間的に変調されていてもよいし、空間的に変調されていなくてもよい。記録用参照光を空間的に変調すると、記録用参照光の空間変調パターンを変えることで、多重記録することができるし、記録用参照光の空間変調パターンをキーとすることで、情報の不正アクセスに対する安全性を高めることができる。参照光を空間的に変調する場合は、例えば、参照光用空間変調パターンを表示した空間光変調器に光を照射して、参照光用空間変調パターンによって空間的に変調された参照光を生成できる。一つの空間光変調器２０９によって、情報光および記録用参照光を生成する場合、空間光変調器２０９の表示面に情報光用の領域および参照光用の領域を設け、それぞれ情報光用空間変調パターンおよび記録用参照光用空間変調パターンを表示すればよい。情報光用の領域は、空間光変調器２０９の中心付近に配置し、情報光用の領域を囲うように参照光用の領域を環状に配置することが好ましい。なお、情報光と記録用参照光を生成する空間光変調器を別々に設けることもできる。例えば、光源２０３からの光をビームスプリッタ等により分割して、一方の光を第一の空間光変調器によって空間的に変調して情報光を生成し、他方の光を第二の空間光変調器によって空間的に変調して参照光を生成してもよい。この場合は、情報光用空間変調パターンと参照光用空間変調パターンを対物レンズ２２１の入射瞳面において結像させる必要があるため、情報光を生成する空間光変調器と参照光を生成する空間光変調器を共役な関係とし、一対のリレーレンズ２１３、２１５によって対物レンズ２２１の入射瞳面に伝搬させる。
【００７８】
空間光変調器２０９の複数の画素が格子状に配列されている場合、空間光変調器２０９から出射する出射光２３の光軸は、複数の画素による格子の対角方向についての回折次数をずらすと、図３の配置成分パターン３１ａに示したように、フーリエ面における輝点の対角方向に光軸が移動するので、光軸から近接する各輝点までの距離を均等化し易いので好ましい。特に、出射光２３の光軸の出射角が、画素による格子の対角方向についての（ｍ±０．５）次の回折角と等しくすると、近接する４つの輝点までの距離が等しくなり、フーリエ変換像の強度を平坦化することができる。なお、空間光変調器２０９の複数の画素が格子状ではない配列、例えば蜂の巣のように段違いにずらして配列させた場合、であっても、光軸をｍ次の回折光と一致しないようにすることで、フーリエ変換像における強度の強い領域に複数の輝点を配置させることができる。なお、配列を変更すると、図３の配置成分パターン３１ａが変更することになる。
【００７９】
空間光変調器２０９の複数の画素は、正方形状以外の形状であってもよい。例えば、長方形、菱形、六角形、三角形、円形の場合であってもよい。この場合、図３の形状成分パターン３１ｂが形状に合わせて変化する。
【００８０】
偏光ビームスプリッタ２１１は、直線偏光（例えばＰ偏光）を反射または透過し、当該偏光に垂直な直線偏光（例えばＳ偏光）を透過または反射するような半反射面を有している。図１１において、偏光ビームスプリッタ２１１は、空間光変調器２０９から射出された情報光、記録用参照光または再生用参照光を透過し、記録媒体のホログラム記録層から発生した再生光および記録媒体によって反射された再生用参照光を光検出手段２２５に向けて反射する。
【００８１】
一対のリレーレンズ２１３、２１５は、空間光変調器２０９から対物レンズ２２１までの間に配置されており、空間光変調器２０９に表示された像を対物レンズ２２１の入射瞳面に結像するように配置されている。すなわち、空間光変調器２０９から第１のリレーレンズ２１３までの距離が第１のリレーレンズ２１３の焦点距離ｆ１となり、第２のリレーレンズ２１５から対物レンズ２２１の入射瞳面までの距離が第２のリレーレンズ２１５の焦点距離ｆ２となり、第１および第２のリレーレンズ２１３、２１５間の距離が第１のリレーレンズ２１３の焦点距離ｆ１と第２のリレーレンズ２１５の焦点距離ｆ２の和となるように配置されている。
【００８２】
また、図１１において、一対のリレーレンズ２１３、２１５は、対物レンズ２２１から光検出手段２２５までの間に配置されており、再生用の参照光によって記録媒体２５１のホログラム記録層２５３から発生した再生光の対物レンズ２２１の射出瞳面における像を再び光検出手段２２５において結像するように配置されている。すなわち、対物レンズ２２１の射出瞳面から第２のリレーレンズ２１５までの距離が焦点距離ｆ２となり、第１のリレーレンズ２１３から光検出手段２２５までの距離が焦点距離ｆ１となり、第１および第２のリレーレンズ２１３、２１５間の距離が焦点距離ｆ１と焦点距離ｆ２の和となるように配置されている。
【００８３】
なお、一対のリレーレンズ２１３、２１５の配置は、他の光学素子を適宜配置することで変化する。例えば、第１のリレーレンズ２１３から光検出手段２２５までの間に拡大レンズを配置すれば、第１のリレーレンズ２１３と拡大レンズの入射瞳面までの距離が焦点距離ｆ１となるように配置される。
【００８４】
開口２２７は、第１および第２のリレーレンズ２１３、２１５間の焦点位置に配置されており、高次の回折光を取り除くものである。開口２２７の大きさによって、ホログラムの記録領域の大きさを調節することができる。本発明においては、図２および図３において示したとおり、ホログラムの記録領域を小さくすることができるので、開口２２７を小さくしてホログラムの記録領域を小さくしてもよい。図１１において、出射光２３２の光軸がｍ＋０．５次の回折光の進行方向と一致する場合、その近傍のｍ次とｍ＋１次の回折光２３３を通過させ、それ以上の次数が離れた回折光は遮断するようにしてもよい。なお、ホログラムの記録領域を調節する手段として、開口２２７に限定されるものではない。
【００８５】
ミラー２１７は、光の進行方向を対物レンズ２２１に向けて反射するものであり、光学系の構成によっては不要である。
【００８６】
４分の１波長板２１９は、互いに垂直な方向に振動する偏光の光路差を４分の１波長変化させる位相板である。４分の１波長板２１９によってＰ偏光の光は円偏光に変化され、更に、この円偏光の光が４分の１波長板２１９を通過するとＳ偏光に変化されることになる。この４分の１波長板２１９によって、再生時における再生用の参照光と再生光を偏光ビームスプリッタ２１１で分離することができる。
【００８７】
対物レンズ２２１は、記録時においては、入射瞳面に結像した情報光および記録用参照光を記録媒体２５１に照射し、ホログラム記録層２５３において干渉させて記録するものであり、また再生時においては、入射瞳面に結像した再生用参照光を記録媒体２５１に照射し、記録媒体２５１のホログラム記録層２５３から発生した再生光を入射して射出瞳面に結像させるものである。図１１では対物レンズ２２１として、一枚のレンズで示しているが、複合レンズを使用してもよい。
【００８８】
リングマスク２２３は、再生時に、再生光と一緒に記録媒体２５１の反射層２５５で反射された再生用参照光を除去するためのものである。
【００８９】
光検出手段２２５は、複数の受光画素を有し、各受光画素毎に受光した光の強度を検出できるようになっている。光検出手段２２５としては、ＣＣＤ型固体撮像素子やＭＯＳ型固体撮像素子を用いることができる。また、光検出手段２２５として、ＭＯＳ型固体撮像素子と信号処理回路とが１チップ上に集積されたスマート光センサ（例えば、文献「Ｏｐｌｕｓ Ｅ，１９９６年９月，Ｎｏ．２０２，第９３〜９９ページ」参照。）を用いてもよい。このスマート光センサは、転送レートが大きく、高速な演算機能を有するので、このスマート光センサを用いることにより、高速な再生が可能となり、例えば、Ｇ（ギガ）ビット／秒オーダの転送レートで再生を行うことが可能となる。
【００９０】
記録媒体２５１は、干渉縞が記録されるホログラム記録層２５３を有しており、図１１においては、更に、第１基板２５１ａ、反射層２５５および第２透明基板２５１ｂを備えている。記録媒体２５１としては、ディスク状やカード状のものを使用することができ、記録媒体２５１を回転させながら記録および再生してもいいし、記録および再生の時には固定されていてもよい。記録媒体２５１として、ディスク状の記録媒体を使用し、回転させつつ記録再生を行う方式の場合は、ＣＤドライブやＤＶＤドライブにおいて使用されているディスク駆動機構を使用することができ、更には、ＣＤドライブやＤＶＤドライブとの互換性を持たせることも容易になるので好ましい。
【００９１】
また、記録媒体２５１に、位置決め用の情報を予め記録しておき、照射位置の位置決めにフィードバック機構を採用すると、より正確な位置決めを行うことができるので好ましい。例えば、記録媒体２５１の反射層２５５の表面に位置決め用の情報としてピットを形成し、位置決め用の情報を予め記録してもよい。なお、位置決め情報を読み取る光として、記録または再生用の光とは異なる波長の光を使用する場合は、ピットを形成した位置決め情報を読み取る光に対する反射層とは別に、記録または再生用の光を反射する波長選択反射層を設けてもよい。例えば、反射層とホログラム記録層との間に、記録または再生用の光を反射し、位置決め情報を読み取る光を透過する波長選択反射層を形成すれば、記録再生領域に重畳して位置決め情報を記録することができ、更に記録媒体の同一面側にピックアップ装置を配置できるので記録再生装置を小型化することができる。
【００９２】
光情報記録装置としての動作を説明すると、光源２０３から射出した光は、コリメータレンズ２０５によって平行光とされ、ミラー２０７によって空間光変調器２０９に向けて反射される。そして、空間光変調器２０９に表示された情報光用空間変調パターンおよび参照光用空間変調パターンによって情報光および記録用の参照光が生成される。ここで、空間光変調器２０９から対物レンズへ向かう光の光軸（図では中央の光線）は、ｍ次の回折光２３３の進行方向と一致しない。また、図１１において、中心部分に情報光が配置され、その周囲に環状の記録用参照光が配置されるので、情報光の光軸および記録用参照光の光軸は、同一線上に位置しておりｍ次の回折光２３３の進行方向と一致していない。
【００９３】
情報光および記録用参照光は、偏光ビームスプリッタ２１１を通過して、一対のリレーレンズ２１３、２１５によって、対物レンズ２２１の入射瞳面に空間光変調器２０９に表示された空間変調パターンが結像するように伝搬される。その途中、開口２２７によって、高次の回折光は取り除かれ、ミラー２１７によって対物レンズ２２１に向けて反射され、４分の１波長板２１９を通過する。記録媒体２５１のホログラム記録層２５３に情報光および記録用参照光の干渉縞が記録される。
【００９４】
更に、光情報再生装置としての動作を説明すると、光源２０３から射出した光は、コリメータレンズ２０５によって平行光とされ、ミラー２０７によって空間光変調器２０９に向けて反射される。そして、空間光変調器２０９に表示された参照光用空間変調パターンによって再生用参照光が生成される。なお、再生時における再生用参照光の参照光用空間変調パターンは、記録媒体に記録された情報が記録される際に照射された記録用参照光の参照光用空間変調パターンである。ここで、空間光変調器２０９から対物レンズへ向かう光の光軸（図では中央の光線）は、ｍ次の回折光２３３の進行方向と一致しない。また、図１１において、環状の再生用参照光が配置され、その光軸は、ｍ次の回折光２３３の進行方向と一致していない。
【００９５】
空間光変調器２０９から射出した再生用参照光は、偏光ビームスプリッタ２１１を通過して、一対のリレーレンズ２１３、２１５によって、対物レンズ２２１の入射瞳面に空間光変調器２０９に表示された参照光用空間変調パターンが結像するように伝搬される。その途中、開口２２７によって、高次の回折光は取り除かれ、ミラー２１７によって対物レンズ２２１に向けて反射され、４分の１波長板２１９を通過する。そして、対物レンズ２２１によって記録媒体２５１に照射され、記録媒体２５１のホログラム記録層２５３に記録された干渉縞によって回折され、記録時における情報光と同じ情報を有する再生光を発生する。
【００９６】
再生光は、記録媒体２５１の反射層２５５に反射して記録媒体２５１から対物レンズ２２１に向かって射出し、対物レンズ２２１によってその射出瞳面に情報光用空間変調パターンを結像させ、かかる像を光検出手段２５５に再び結像されるように一対のリレーレンズ２１５、２１３によって伝搬される。その間に、再生光は、４分の１波長板２１９を通過し、ミラー２１７によって偏光ビームスプリッタ２１１に向けて反射される。再生光は、照射時の再生用の参照光と比べて４分の１波長板２１９を２回通過しているので偏光方向が９０°ずれているため、偏光ビームスプリッタ２１１によって、光検出手段２５５に向けて反射される。そして、リングマスク２２３によって再生用参照光が除去され、再生光の空間変調パターンが光検出手段２２５において検出される。検出された情報は、制御手段（図示せず）に送られ、制御手段においてデコードされ情報を再生する。
【００９７】
なお、本発明は、前述した実施の形態に限定されるものではなく、必要に応じて種々の変更が可能である。例えば、図１１においては、情報光の光軸と参照光の光軸とが同軸となるように、記録媒体の同一面側から情報光と参照光を記録媒体に照射して、ホログラムを形成したが、情報光の光軸と参照光の光軸とが一定の角度で交差するように情報光と参照光を記録媒体に照射して、二光束干渉型のホログラムを形成してもよい。この場合、空間光変調器によって空間的に変調した光の少なくとも一つについて、上述したとおり、空間光変調器からの出射光がｍ次の回折光と一致しないように構成することが好ましい。
【図面の簡単な説明】
【００９８】
【図１】本発明の空間光変調器における光の関係を説明する図
【図２】従来の光情報記録再生装置におけるフーリエ変換像
【図３】本発明の光情報記録再生装置におけるフーリエ変換像
【図４】１次元のフーリエ変換波形によってフーリエ変換の合成を説明する図
【図５】本発明を実施できるＤＭＤの一条件を示す表
【図６】比較例におけるフーリエ変換像
【図７】本発明におけるフーリエ変換像
【図８】本発明におけるフーリエ変換像
【図９】本発明におけるフーリエ変換像
【図１０】本発明の透過型の空間光変調器における光の関係を説明する図
【図１１】発明の光情報記録再生装置のピックアップの構成を示す概略構成図
【図１２】従来の光情報記録再生装置のピックアップの構成を示す概略構成図
【図１３】従来の空間光変調器における光の関係を説明する図
【符号の説明】
【００９９】
１１  空間光変調器
１２  画素
１３  対物レンズ
２１  入射光
２２  出射光
２３  回折光
【図１】
0004604138.tif 000002
【図４】
0004604138.tif 000003
【図５】
0004604138.tif 000004
【図１０】
0004604138.tif 000005
【図１１】
0004604138.tif 000006
【図１２】
0004604138.tif 000007
【図１３】
0004604138.tif 000008
【図２】
0004604138.tif 000009
【図３】
0004604138.tif 000010
【図６】
0004604138.tif 000011
【図７】
0004604138.tif 000012
【図８】
0004604138.tif 000013
【図９】
0004604138.tif 000014